(57)【特許請求の範囲】
【請求項１】
タンク本体の内外を連通する管状部材を前記タンク本体の内部側で密閉する内閉鎖部材と、
前記管状部材に検査用流体を流入させるための流入口を有し、かつ前記管状部材を前記タンク本体の外部側で密閉する外閉鎖部材と、
前記管状部材に挿入されるとともに、長手方向の一端部に前記内閉鎖部材が連結され、長手方向の他端部に前記外閉鎖部材が着脱可能に連結される連結部材と、を備え、
前記外閉鎖部材に、その長手方向に沿って第１筒部と、中間板と、第２筒部が設けられており、
前記第１筒部の一端がシール部材を介して前記管状部材に連結され、前記中間板が前記第１筒部の他端に固定され、前記第２筒部の一端が前記中間板に固定され、前記第２筒部の他端に当該他端を密閉する閉止板が取りはずし可能に装着され、前記連結部材は前記中間板と内閉鎖部材とを連結していることを特徴とする管状部材の検査用治具。
【請求項２】
前記連結部材が、第１連結部を有し、
前記外閉鎖部材が、前記第１連結部に連結されるとともに、当該連結に伴って前記連結部材を前記管状部材の管軸方向へ移動させる第２連結部を有し、
前記内閉鎖部材が、前記第１連結部と前記第２連結部との連結に伴う前記連結部材の移動によって密閉部位に圧接されるシール部材を有している、請求項１に記載の管状部材の検査用治具。
【請求項３】
前記第１連結部と前記第２連結部とが、互いに螺合可能なネジによって構成されている請求項２に記載の管状部材の検査用治具。
【請求項４】
前記内閉鎖部材が、前記タンク本体の内部側における前記管状部材の端面に対向する押さえ部材と、当該押さえ部材と前記端面との間に介装される前記シール部材と、を有している、請求項２又は３に記載の管状部材の検査用治具。
【請求項５】
前記内閉鎖部材が、一側部が開口した椀形状に形成され、かつ前記タンク本体の内部側において前記管状部材の端部をその周囲も含めて被覆する被覆部材と、この被覆部材の開口端面と前記タンク本体の内面との間に介装される前記シール部材と、を有している、請求項２又は３に記載の管状部材の検査用治具。
【請求項６】
前記内閉鎖部材は、前記管状部材の内周面に嵌合し、かつ前記第１連結部と前記第２連結部との連結に伴う前記連結部材の移動によって管軸方向に圧縮されて前記管状部材の内周面に圧接される前記シール部材を有している請求項２又は３に記載の管状部材の検査用治具。
【請求項７】
前記タンク本体の外部側の前記管状部材の端部には、部品取付用のフランジ部が設けられており、前記外閉鎖部材は、前記フランジ部に連結される被連結部を有している請求項１〜６のいずれかに記載の管状部材の検査用治具。
【発明の詳細な説明】
【技術分野】
【０００１】
本発明は、タンクに設けられるノズル等の管状部材に対して漏洩検査を行うために使用される検査用治具に関する。
【背景技術】
【０００２】
気体や液体等の流体を扱う工場やプラント等の施設には、流体を収容するためのタンクが設置されており、このタンクは、施工時に耐圧漏洩検査が実施される。また、運転後、タンクの補修が行なわれたときにも同様の検査が実施される。この耐圧漏洩検査として、タンク内に水を充満させて漏れや変形の有無を検査する水張り検査が知られている。
【０００３】
しかし、この水張り検査は、タンクの容量と同じ大量の水が必要であり、また検査後にタンクの内部を乾燥させるために長時間を要する。さらに、タンクの補修後に検査を行う場合、タンクの内部に足場が組まれていると、足場を解体しタンクから撤去するという作業も必要となる。したがって、この水張り検査は、多大な工費、工期、及び労力が必要であった。
また、従来は、タンクのノズルのようなごく一部だけを補修した場合であっても、タンク全体の水張り検査を行っていたので、非常に不経済であった。
【０００４】
一方、下記特許文献１には、タンクのノズルに接続された配管の耐圧検査用として用いることができる治具が開示されている。この治具は、タンクの内部側におけるノズルの端部を密閉するものであり、タンクの内部側におけるノズルの端部に挿入されるシール用ゴム袋と、当該端部の外周面に形成された雄ネジに螺合して取り付けられるキャップと、キャップに連結されこのキャップと共同してゴム袋の管軸方向の膨張を阻止する押さえ板と、ゴム袋に接続された空気チューブと、空気チューブを介してゴム袋に気体を供給する空気ボンベと、キャップに接続されたフレキシブルワイヤと、フレキシブルワイヤを介してキャップに駆動力を伝える駆動源と、を備えている。
【０００５】
そして、ノズルに接続された配管の耐圧検査を行うには、フレキシブルワイヤを介して駆動源の回転動力をキャップに伝え、このキャップを配管の雄ネジに螺合するとともに、空気チューブを介して空気ボンベからゴム袋に気体を送ることによって配管の端部を密閉する。そして、配管内に水を満たして所定の水圧を加え、これによる影響を確認することによって検査が行われる。
【先行技術文献】
【特許文献】
【０００６】
【特許文献１】実公昭６３−３９６２２号公報
【発明の概要】
【発明が解決しようとする課題】
【０００７】
タンクのノズルを補修した後、特許文献１に記載のような技術を用いてノズルを密閉し、ノズルのみに対して検査を行えば、タンク全体に対する水張り検査を行わなくても済み、検査に要する工費、工期、及び労力を大幅に削減することが可能になると考えられる。
しかしながら、特許文献１の技術は、ノズルに雄ネジが形成されていない既設のタンクには治具を適用することができない。また、駆動源や空気ボンベはタンクの外に設置しなければならないので、これらをタンク内のキャップやゴム袋に接続するために非常に長いフレキシブルワイヤや空気チューブが必要となる。そのため、治具自体の取り扱いも煩雑になる。
【０００８】
本発明は、上記の実情に鑑みてなされたものであり、取り扱いが容易であり、管状部材の検査を少ない工費、工期、及び労力で行うことを可能にする管状部材の検査用治具を提供することを目的とする。
【課題を解決するための手段】
【０００９】
（１）本発明に係る管状部材の検査用治具は、タンク本体の内外を連通する管状部材を前記タンク本体の内部側で密閉する内閉鎖部材と、
前記管状部材に検査用流体を流入させるための流入口を有し、かつ前記管状部材を前記タンク本体の外部側で密閉する外閉鎖部材と、
前記管状部材に挿入されるとともに、長手方向の一端部に前記内閉鎖部材が連結され、長手方向の他端部に前記外閉鎖部材が着脱可能に連結される連結部材と、を備え、
前記外閉鎖部材に、その長手方向に沿って第１筒部と、中間板と、第２筒部が設けられており、
前記第１筒部の一端がシール部材を介して前記管状部材に連結され、前記中間板が前記第１筒部の他端に固定され、前記第２筒部の一端が前記中間板に固定され、前記第２筒部の他端に当該他端を密閉する閉止板が取りはずし可能に装着され、前記連結部材は前記中間板と内閉鎖部材とを連結していることを特徴とする。
【００１０】
本発明の検査用治具は、内閉鎖部材によってタンク本体の内部側で管状部材を密閉し、外閉鎖部材によってタンク本体の外部側で管状部材を密閉し、外閉鎖部材に形成された流入口から検査用流体を流入させることによって、管状部材からの流体の漏洩の有無を検査することができる。したがって、タンク全体の水張り検査を行わなくても、管状部材のみを対象として検査を行うことができる。したがって、当該検査を少ない工費、工期、及び労力で行うことができる。
【００１１】
そして、本発明の検査用治具は、タンク本体の内部側に内閉鎖部材を配置しつつ管状部材に連結部材を挿入し、この連結部材の端部を外閉鎖部材に連結することによって容易に管状部材に装着することができる。また、本発明の検査用治具は、内閉鎖部材と外閉鎖部材と連結部材とから非常に簡単な構成とすることができ、特許文献１のようにタンク内外にフレキシブルワイヤや空気チューブを配索する必要もなく、容易に取り扱うことができる。また、内閉鎖部材は、連結部材を介して外閉鎖部材に連結されるので、当該内閉鎖部材を取り付けるために管状部材に加工を施す必要がなく、よって既設のタンクに対しても本発明の検査用治具を適用することが可能となる。
【００１２】
（２）前記連結部材が、第１連結部を有し、前記外閉鎖部材が、前記第１連結部に連結されるとともに、当該連結に伴って前記連結部材を前記管状部材の管軸方向へ移動させる第２連結部を有し、前記内閉鎖部材が、前記第１連結部と前記第２連結部との連結に伴う前記連結部材の移動によって密閉部位に圧接されるシール部材を有していることが好ましい。
この構成によれば、連結部材の第１連結部と外閉鎖部材の第２連結部とを連結すると同時に、内閉鎖部材のシール部材を密閉部位に圧接することができる。
【００１３】
（３）前記第１連結部と前記第２連結部とは、互いに螺合可能なネジからなることが好ましい。
これにより、第１連結部と第２連結部との連結で連結部材を管軸方向に移動させる構成を容易に実現することができる。
【００１４】
（４）前記内閉鎖部材は、前記タンク本体の内部側における前記管状部材の端面に対向する押さえ部材と、当該押さえ部材と前記端面との間に介装される前記シール部材と、を有していることが好ましい。
このような構成によって、タンク本体の内部側における管状部材の端部を内閉鎖部材によって直接的に密閉することができる。
【００１５】
（５）前記内閉鎖部材は、一側部が開口した椀形状に形成され、かつ前記タンク本体の内部側において前記管状部材の端部をその周囲も含めて被覆する被覆部材と、この被覆部材の開口端面と前記タンク本体の内面との間に介装される前記シール部材と、を有していることが好ましい。
この構成によれば、タンク本体の内部側における管状部材の端部をその周囲を含めて内閉鎖部材によって密閉することができる。そのため、例えば、管状部材とタンク本体との接合部（溶接部）に対しても漏洩の有無を検査することができる。
【００１６】
（６）前記内閉鎖部材は、前記管状部材の内周面に嵌合し、かつ前記第１連結部と前記第２連結部との連結に伴う前記連結部材の移動によって管軸方向に圧縮されて前記管状部材の内周面に圧接される前記シール部材を有していることが好ましい。
この構成によれば、内閉鎖部材のシール部材が管状部材の内周面に嵌合されるので、タンク本体の外部側から管状部材の内部にシール部材を挿入することが可能となる。したがって、シール部材を管状部材に装着するためにタンク本体の内部に作業者が入り込む必要が無く、検査用治具の装着をより容易に行うことができる。
【００１７】
（７)前記タンク本体の外部側における前記管状部材の端部には、部品取付用のフランジ部が設けられており、前記外閉鎖部材は、前記フランジ部に連結される被連結部を有していることが好ましい。
管状部材に配管や圧力計等の他の部品を装着するためのフランジ部が設けられている場合には、外閉鎖部材にフランジ部に連結される被連結部を設けることによって、管状部材に対して外閉鎖部材を取り付けるための加工が不要となる。したがって、既設のタンクに対して本発明の検査用治具を適用することが可能となる。
【発明の効果】
【００１８】
本発明の検査用治具によれば、取り扱いが容易であり、管状部材の検査を少ない工費、工期、及び労力で行うことが可能となる。
【図面の簡単な説明】
【００１９】
【図１】本発明の第１の実施の形態に係る検査用治具が装着されたタンクの正面図である。
【図２】検査用治具の断面図である。
【図３】分解された検査用治具の断面図である。
【図４】本発明の第２の実施の形態に係る検査用治具の断面図である。
【図５】本発明の第３の実施の形態に係る検査用治具の断面図である。
【図６】本発明の第４の実施の形態に係る検査用治具の断面図である。
【発明を実施するための形態】
【００２０】
以下、本発明の実施の形態を図面を参照して説明する。
図１は、本発明の第１の実施の形態に係る検査用治具１０が装着されたタンク１１の正面図である。タンク１１は、高圧ガスや液化ガス等の気体や液体を収容することが可能であり、タンク本体１４と、このタンク本体１４の外周面に設けられたノズル（管状部材）１２と、マンホール１３とを備えている。ノズル１２は、例えば、配管や圧力計を装着するために使用される。マンホール１３は、作業者がタンク本体１４の内部に入るために使用される。
【００２１】
図２は、検査用治具１０の断面図、図３は、分解された検査用治具１０の断面図である。
本発明の検査用治具１０は、例えば、ノズル１２の外周面を補修した場合等に、その補修部分１００からの漏洩の有無を検査するためにノズル１２に対して装着される。ノズル１２は、その下端部がタンク本体１４に形成された取付孔１５に挿入され、タンク本体１４の内部に僅かに突出している。ノズル１２の外周面とタンク本体１４の内面及び外面とは溶接部１６によって接合されている。またノズル１２は、下部側が厚肉で上部側が薄肉に形成され、上端部には径方向外方に突出するフランジ部１７が形成されている。このフランジ部１７は、運転時に配管や圧力計等を接続するために用いられる。
【００２２】
検査用治具１０は、タンク本体１４の内部側からノズル１２を閉鎖する内閉鎖部材１９と、タンク本体１４の外部側からノズル１２を閉鎖する外閉鎖部材２０と、内閉鎖部材１９と外閉鎖部材２０とを連結する連結部材２１とを有している。内閉鎖部材１９は、ノズル１２の下端面と略同じ外径の円板状の押さえ板（押さえ部材）２２と、ゴム等の弾性材料から円環状に形成され、押さえ板２２とノズル１２の下端面との間をシールするシール部材２３とを備えている。
【００２３】
連結部材２１は、上下方向に長い棒状の部材であり、その外周面の全体に雄ネジ部（第１連結部）２４が設けられている。すなわち、連結部材２１は、実質的に長尺の寸切りボルトによって構成されている。そして、連結部材２１の下端部は押さえ板２２に溶接等によって固定されている。
【００２４】
外閉鎖部材２０は、ノズル１２の上端部に取り付けられる本体部２６と、本体部２６の上端を閉鎖する閉止板２７と、連結部材２１を外閉鎖部材２０に連結するための締結ナット２８と、ノズル１２と本体部２６との間をシールするシール部材２９と、本体部２６と閉止板２７との間をシールするシール部材３０とを有している。シール部材２９とシール部材３０とは、いずれもゴム等の弾性材料から円環状に形成され、互いに同一の部品を使用することができる。
【００２５】
本体部２６は、第１筒部３１と、中間板３２と、第２筒部３３とからなる。第１筒部３１は、ノズル１２と略同じ内径の筒形状に形成されている。また、第１筒部３１の下端部には径方向外方に突出するフランジ部（被連結部）３４が形成されている。そして、ノズル１２の上端に形成されたフランジ部１７と第１筒部３１のフランジ部３４とを対向させ、両者の間にシール部材２９を介装し、フランジ部１７とフランジ部３４とをボルト３６及びナット３７からなる締結具によって締結することで、第１筒部３１がノズル１２にシールされた状態で連結される。
【００２６】
また、第１筒部３１において、フランジ部３４よりも上側には、第１筒部３１に連通する流入管３９が略水平方向に設けられている。この流入管３９から第１筒部３１を介してノズル１２内に検査用流体を導入することができる。
なお、図２において、流入管３９とボルト３６及びナット３７とは、同一平面状に位置するように記載されているが、実際には、ボルト３６をフランジ部１７及びフランジ部３４に挿入することができるように周方向において位置がずらされている。
【００２７】
中間板３２は、第１筒部３１の上端に溶接等によって固定されている。この中間板３２には、連結部材２１を挿通することができる挿通孔４１が形成されている。
第２筒部３３は、第１筒部３１よりもやや内径及び外径が大きな筒形状に形成されている。第２筒部３３の下端は、中間板３２の上面に溶接等によって固定されている。第２筒部３３の上端には、径方向外方へ突出するフランジ部４２が設けられている。
【００２８】
閉止板２７は、フランジ部４２と略同形状の円板状に形成されている。そして、閉止板２７をフランジ部４２に対向させ、両者間にシール部材３０を介装した状態で閉止板２７とフランジ部４２とをボルト４４及びナット４５からなる締結具によって締結することで、閉止板２７が本体部２６にシールされた状態で連結される。
締結ナット２８は、第２筒部３３内に配置されており、内部に雌ネジ部（第２連結部）を有している。そして、締結ナット２８は、中間板３２の挿通孔４１に挿通された連結部材２１の上端部に螺合し、外閉鎖部材２０と連結部材２１とを着脱可能に連結する。
【００２９】
以上の構成を有する検査用治具１０を用いたノズル１２の耐圧漏洩検査について説明する。まず、一体化された内閉鎖部材１９及び連結部材２１をタンク本体１４の内部に持ち込み、連結部材２１をノズル１２の内部に挿入し、押さえ板２２とノズル１２の下端面とをシール部材２３を介して対向させる。
【００３０】
一方、タンク本体１４の外部側においては、外閉鎖部材２０における本体部２６と閉止板２７とを予め分解しておき、当該本体部２６をノズル１２のフランジ部１７上にシール部材２９を介して載せておく。そして、ノズル１２の内部に挿入された連結部材２１の上端部を中間板３２の挿通孔４１に挿通し、連結部材２１に締結ナット２８を仮止めする。また、ノズル１２のフランジ部１７と本体部２６のフランジ部３４とをボルト３６及びナット３７によって仮止めする。
【００３１】
次に、本体部２６の上側から締結ナット２８を締め付けることによって、連結部材２１を本体部２６に相対して上方へ移動させ、押さえ板２２とノズル１２との間に介装されたシール部材２３を圧縮し、同時に、フランジ部１７とフランジ部３４との間に介装されたシール部材２９も圧縮する。さらに、ボルト３６とナット３７とを締め付けることによってもシール部材２９を圧縮する。これによって、内閉鎖部材１９とノズル１２との間、及び、ノズル１２と本体部２６との間がそれぞれシールされた状態となる。なお、締結ナット２８と連結部材２１との螺合のみによって本体部２６とノズル１２との間がシール部材２９によって十分にシールされる場合には、ボルト３６及びナット３７を省略することも可能である。
【００３２】
次に、本体部２６のフランジ部４２と閉止板２７との間にシール部材３０を介装した状態で両者をボルト４４及びナット４５によって締結する。これによって本体部２６と閉止板２７とがシールされた状態で連結される。
以上により、ノズル１２は、タンク本体１４の内部側からも外部側からも密閉された状態となる。そして、流入管（流入口）３９から検査用流体を所定の圧力で供給し、所定の時間圧力が保持されているかどうかを調べることによってノズル１２から漏洩の有無を検査することができる。
【００３３】
なお、流入管３９から流入される検査用流体は、特に限定されないが、例えば窒素を使用することができる。また、ノズル１２に付与する圧力は、例えば０．０１〜１０．００ＭＰａＧとすることができる。検査用流体として窒素を用いる場合、例えば１．１３ＭＰａＧの圧力で供給することができる。
【００３４】
以上、説明したように本実施の形態の検査用治具１０は、タンク１１のノズル１２に対する部分的な検査を可能にする。そのため、タンク全体に対して水張り検査を行う必要がなくなり、検査に要する工期や工費、労力を大幅に削減することができる。
また、検査用治具１０は、内閉鎖部材１９及び連結部材２１をタンク本体１４の内部側から装着する必要はあるものの、連結部材２１と外閉鎖部材２０との連結はタンク１１の外部側から行うことができる。したがって、ノズル１２に対する検査用治具１０の装着を容易に行うことができる。
【００３５】
さらに、検査用治具１０を装着するためにノズル１２には何ら加工を行う必要がないので、本実施の形態の検査用治具１０は、既設のタンク１１の検査のためにも使用することができる。
【００３６】
図４は、本発明の第２の実施の形態に係る検査用治具１０の断面図である。
本実施の形態の検査用治具１０は、内閉鎖部材１９の構造が第１の実施の形態とは異なっている。すなわち、本実施の形態の内閉鎖部材１９は、第１の実施の形態の押さえ板２２（図２参照）の代わりに、一側部が開口する椀形状に形成された被覆部材４８を備えている。具体的に、この被覆部材４８は、底壁４６と、この底壁４６の外周から立ち上がる周壁４７とを有している。そして、被覆部材４８は、タンク本体１４の内部に突出するノズル１２の端部をその周囲を含んで被覆するように配置される。また、本実施の形態のシール部材２３は、被覆部材４８の周壁４７の端面と、タンク本体１４の内面との間に介装される。なお、被覆部材４８の周壁４７の端面は、タンク本体１４の内面形状に沿った形状に形成される。したがって、例えば、タンク本体１４の内面が湾曲している場合には、周壁４７の端面もその形状に沿った湾曲形状に形成される。
【００３７】
本実施の形態の場合、タンク本体１４の内部側におけるノズル１２の端部だけでなく、その周囲を含めて被覆部材４８及びシール部材２３によって密封することができる。そのため、ノズル１２とタンク本体１４との接合部（溶接部１６）からの流体の漏洩の有無をも検査することができる。
【００３８】
図５は、本発明の第３の実施の形態に係る検査用治具１０の断面図である。
上述の第１、第２の実施の形態の検査用治具１０は、内閉鎖部材１９及び連結部材２１をタンク本体１４の内部から装着する必要があった。しかしながら、第３の実施の形態の検査用治具１０は、内閉鎖部材１９及び連結部材２１をタンク本体１４の外部側から装着することが可能なように構成されている。
【００３９】
具体的に、本実施の形態の内閉鎖部材１９は、ノズル１２の内周面に嵌合されるシール部材２３と、このシール部材２３を上下から挟持する上挟持板５２及び下挟持板５３と、上挟持板５２に連結された支持筒（支持部材）５４と、を備えている。シール部材２３は、ゴム等の弾性材料から略円筒形状に形成されており、管状部材１２の内径と略同じか若干小さい外径を有している。下挟持板５３は、連結部材２１の下端部に溶接等によって固定されている。また、支持筒５４は、連結部材２１の外周面に嵌合されている。支持筒５４の上端は、締結ナット２８の下側に装着された座金（規制部材）５５によって上方への移動が規制されている。上挟持板５２とシール部材２３の中央部には連結部材２１が貫通している。
【００４０】
本実施の形態では、外閉鎖部材２０の中間板３２の挿通孔４１に予め連結部材２１を挿通し、連結部材２１に締結ナット２８を仮止めしておき、タンク本体１４の外部側からノズル１２内に内閉鎖部材１９と連結部材２１とを挿入する。そして、本体部２６をノズル１２に連結したのち、締結ナット２８を締め付けることによって上下の挟持板５２，５３の間隔を狭める。これにより、シール部材２３が上挟持板５２と下挟持板５３とによって上下方向（管軸方向）に圧縮され、水平方向に膨張してノズル１２の内周面に圧接される。これにより、内閉鎖部材１９によってタンク本体１４の内部側におけるノズル１２の端部を密封状態に閉鎖することができる。
【００４１】
本実施の形態は、作業者がタンク本体１４の内部に入ることなく検査用治具１０をノズル１２に装着することができる。したがって、検査用治具１０の装着がより容易となり、検査に要する時間や労力をより少なくすることができる。
【００４２】
図６は、本発明の第４の実施の形態に係る検査用治具１０の断面図である。
本実施の形態は、上述の第３の実施の形態と同様に、検査用治具１０をタンク本体１４の外部側から装着することができるように構成したものである。
本実施の形態の内閉鎖部材１９は、第３の実施の形態と同様に、ノズル１２の内周面に嵌合されるシール部材２３を備えている。このシール部材２３は、連結部材２１の下端部に回転可能に連結されている。ノズル１２の下端部には、シール部材２３の下面外周部を下側から受ける突縁部５６が形成されている。
【００４３】
また、外閉鎖部材２０における締結ナット２８は、中間板３２の上面に溶接等によって固定されている。また、連結部材２１の上端部には、当該連結部材２１を回すための工具５８が嵌合する被嵌合部５９が形成されている。
【００４４】
本実施の形態では、予め外閉鎖部材２０の中間板３２の挿通孔４１に連結部材２１の上端部を挿通し、締結ナット２８に仮止めしておく。そして、内閉鎖部材１９及び連結部材２１をタンク１１の外部側からノズル１２内に挿入する。その後、工具５８を用いて連結部材２１を回すことで、当該連結部材２１を下方へ移動させ、シール部材２３をノズル１２の突縁部５６に圧接させる。
【００４５】
したがって、本実施の形態においても、作業者がタンク１１の内部に入ることなく検査用治具１０をノズル１２に装着することができる。したがって、検査用治具１０の装着がより容易となり、検査に要する時間や労力を少なくすることができる。
ただし、本実施の形態では、ノズル１２に突縁部５６を予め形成しておかなければならず、その分、タンク１１の製造コストが増大する。したがって、この点においては、上記第３の実施の形態の方がより有利である。
【００４６】
本発明は、上記実施の形態に限定されるものではなく、特許請求の範囲に記載された発明の範囲内において適宜変更可能である。
例えば、本発明は、図１に示されるような円筒型のタンクに限らず、球形等の他の形状のタンクのノズル（管状部材）に対しても使用することができる。
また、外閉鎖部材２０と連結部材２１との連結は、雄ネジ部と雌ネジ部（締結ナット２８）によって行われているが、当該連結によって連結部材２１を上下方向に移動させることができれば、他の構成（例えばレバー操作によって連結部材を引き上げつつ外閉鎖部材２０に固定する構成等）を採用することもできる。
また、ノズル１２のフランジ部１７と外閉鎖部材２０のフランジ部３４との連結、本体部２６のフランジ部４２と閉止板２７との連結は、ボルト３６，４４やナット３７，４５からなる締結具に代えて、クランプ具を使用してもよい。
【符号の説明】
【００４７】
１０：  検査用治具
１１：  タンク
１２：  ノズル
１９：  内閉鎖部材
２０：  外閉鎖部材
２１：  連結部材
２３：  シール部材
２４：  雄ネジ部（第１ネジ部）
２８：  締結ナット（第２ネジ部）
３４：  フランジ部（被連結部）
３９：  流入管（流入口）
４８：  被覆部材
【図１】
0005828698.tif 000002
【図２】
0005828698.tif 000003
【図３】
0005828698.tif 000004
【図４】
0005828698.tif 000005
【図５】
0005828698.tif 000006
【図６】
0005828698.tif 000007